(57)【要約】      （修正有）【課題】テーブルの下に膝が入って最も理想的な姿勢になれるとともに、家具として優美な木製昇降テーブルを提供する。【解決手段】４隅に昇降角柱３１を有する基台３０の基台上箱上面にテーブル上板を締結し、基台底板の下方に設けたモーター箱３３には回転方向を調整可能なモーターを内蔵し、モーターの主軸にはモータープーリー３４を固定し、モータープーリー３４にはタイミングベルト３８を巻き掛けると共に、タイミングベルト３８は台形ねじプーリー３５を駆動し、台形ねじは台形雌ねじと対偶して昇降角柱３１を下方に突出させ、或いは後退させる構造の木製昇降テーブルとする。【選択図】図２
2014046183.tif 000002
【特許請求の範囲】
【請求項１】
４隅に昇降角柱３１を有する基台３０の基台上箱上面４４にテーブル上板２０を締結し、基台底板４６の下方に設けたモーター箱３３には回転方向を調整可能なモーターを内蔵し、当該モーターの主軸にはモータープーリー３４を固定し、当該モータープーリー３４にはタイミングベルト３８を巻き掛けると共に、当該タイミングベルト３８は台形ねじプーリー３５を駆動し、当該台形ねじ４０は台形雌ねじ４１と対偶して昇降角柱３１を下方に突出させ、或いは後退させる構造の木製昇降テーブル１０。
【請求項２】
請求項１において、前記タイミングベルト３８を適正な張りを持たせるため、タイミングベルト３８の裏面を押すテンショナープーリー３６を設けた構造の木製昇降テーブル１０。
【請求項３】
請求項１において、前記テーブル上板２０は、偏り取り付けをした構造の木製昇降テーブル１０。
【請求項４】
請求項１において、前記モーター箱３３に内臓した回転方向を調整可能なモーターの操作は、フットスイッチを設けた構造の木製昇降テーブル１０。
【請求項５】
請求項１において、前記台形ねじ４０の上端に設けられたスラスト軸受４２は、基台３０に一体的に締結されていると共に、内輪には台形ねじ４０の上端軸が打ち込まれた構造の木製昇降テーブル１０。
【請求項６】
請求項１において、前記昇降角柱３１の下端は、左右夫々２本が脚台６０に一体的に締結された構造の木製昇降テーブル１０。
【請求項７】
請求項６において、前記脚台６０設けた水平調整ねじ６１で床のうねりを是正する構造の木製昇降テーブル１０。
【発明の詳細な説明】
【技術分野】
【０００１】  本発明はテーブルの下に膝が入って最も理想的な姿勢になれるとともに、家具として優美な木製昇降テーブルに関する。
【背景技術】
【０００２】  従来から、昇降テーブルは工場の作業現場や、身体に傷害を持った人の生活にために用いられてきた。しかし一般の家具としては、大げさな機械として認識されて普及しなかった。
（例えば、特許文献１、特許文献２参照）【０００３】  本発明は、一般家具の視覚的条件である部屋にマッチした木の優しさが求められ、また油を注したり、グリースの僅かな臭いでも排除しなければならない。【０００４】  本発明にあたり、１ｍｍ厚さのメラミン化粧合板を、クロロブレン系溶剤形接着剤商品名スーパーＧスプレーＺの即乾性（５分で完着）で、硬くて寸法精度良く強くしかも表面は木目など数１０種類から選択できる技術を応用した。また、タイミングベルト、砲金系雌ねじなど無脂、無給油で作動する部品の技術を応用した。
【先行技術文献】
【０００５】
【特許文献１】  特開２００４−２９０６４４号公報
【特許文献２】  特許第４４３１８３７号公報
【発明の概要】
【発明が解決しようとする課題】
【０００６】  本発明が解決しようとする課題は、テーブルの下に膝が入って最も理想的な姿勢になれるとともに、家具として優美な木製昇降テーブル得ることにある。【０００７】  また、それにはコストパフォーマンスとして満足できるものでなくてはならない。
【課題を解決するための手段】
【０００８】  この課題にたいして、４隅に昇降角柱３１を有する基台３０の基台上箱上面４４にテーブル上板２０を締結し、基台底板４６の下方に設けたモーター箱３３には回転方向を調整可能なモーターを内蔵し、当該モーターの主軸にはモータープーリー３４を固定し、当該モータープーリー３４にはタイミングベルト３８を巻き掛けると共に、当該タイミングベルト３８は台形ねじプーリー３５を駆動し、当該台形ねじ４０は台形雌ねじ４１と対偶して昇降角柱３１を下方に突出させ、或いは後退させる構造の木製昇降テーブル１０とすることで主要な解決ができる。【０００９】  さらにまた、前記タイミングベルト３８を適正な張りを持たせるため、タイミングベルト３８の裏面を押すテンショナープーリー３６を設けた構造とするのがよく、前記テーブル上板２０は、偏り取り付けをした構造とするのがよく、前記モーター箱３３に内臓した回転方向を調整可能なモーターの操作は、フットスイッチを設けた構造とするのがよく、前記台形ねじ４０の上端に設けられたスラスト軸受４２は、基台３０に一体的に締結されていると共に、内輪には台形ねじ４０の上端軸が打ち込まれた構造とするのがよく、前記昇降角柱３１の下端は、左右夫々２本が脚台６０に一体的に締結された構造とするのがよく、前記脚台６０設けた水平調整ねじ６１で床のうねりを是正する構造とするのがよい。
【発明の効果】
【００１０】  前述のような手段をとることにより、テーブルの下に膝が入って何時でも理想的な姿勢になれるとともに、家具としても優美な木製昇降テーブル得ることができた。【００１１】  また、タイミングベルト３８や台形雌ねじ４１を用いて、油を注入することもなく、僅かな臭いも、騒音も排除でき硬くて強く安価な木製昇降テーブルを製作できた。
【図面の簡単な説明】
【００１２】
【図１】本発明木製昇降テーブルの鳥観図である。
【図２】本発明昇降基台の鳥観図である。
【図３】本発明テーブル上板の平面図である。
【図４】本発明木製昇降テーブルの〔図３〕Ｃ−Ｃ断面図である。（イ）はテーブル上板である。（ロ）は昇降基台である。
【図５】本発明テーブル上板の〔図４〕Ｂ矢視図である。
【図６】本発明３×４サイズテーブル上板と新聞の比較図である。
【図７】本発明フットスイッチの鳥観図である。
【発明を実施するための形態】
【００１３】  本発明の用途は、成長激しい幼稚園児の勉強机、介護老人用、お父さんの朝の新聞用、宴会テーブル、図面広げ用、地図広げ用、パソコンテーブル等があり、プロ用としては、書道家用、設計図面台、精密組み立て台、精密加工用、論文編集台等がある。
以下、実施例によって詳細に説明する。
【実施例】
【００１４】  図１は本発明木製昇降テーブルの鳥観図で、写真を図化している。
昇降ボタン７０を操作すると、テーブル上板２０は床からの高さ６５０ｍｍから９００ｍｍの範囲で停止し使用が可能になる。テーブル上板２０も、基台３０も、モーター箱３３も木調優美で家具として室内に調和する。強いて、非木調部分を探せば、昇降ボタン７０、コンセント７１、電源コード７２である。
テーブル上板２０の下に膝が入って最も理想的な姿勢が選べる。【００１５】  図２は本発明昇降基台の鳥観図で、写真を図化している。
基台３０の４隅に昇降角柱３１があり、基台底板４６の下方に設けたモーター箱３３には回転方向を調整可能なモーターを内蔵しており、当該モーターの主軸にはモータープーリー３４を上下に２個固定している。モータープーリー３４にはタイミングベルト３８を左右に２本巻き掛けると共に、２本のタイミングベルト３８は４隅にある４個の台形ねじブーリー３５を駆動している。【００１６】  タイミングベルト３８を適正な張りを持たせるため、タイミングベルト３８の裏面を押すテンショナープーリー３６を左右に２個設け、基台上箱側板４５にはテーブル上板取付穴５０が明けてある。左右の彫り込み３９はテーブル上板２０の彫り込み締結板２２がはまり込む。基台柱受内板４７と基台柱受外板４８の間には昇降角柱３１があるのみならず、電源コード７２のリコイルリールやリミットスイッチ、テーブル上板２０の着脱工具、取説等を入れている。【００１７】  昇降角柱３１の下端は、左右夫々２本が脚台６０に下部から昇降角柱底木６２にねじで一体的に締結されている。【００１８】  図３は本発明テーブル上板の評準的平面図であり、特殊なものは別記する。
４隅に昇降角柱３１と脚台６０の位置関係を陰線で示している。【００１９】  図４は本発明木製昇降テーブルの〔図３〕Ｃ−Ｃ断面図で、（イ）はテーブル上板２０  （ロ）は昇降基台３０である。そして、（イ）と（ロ）の図における対応はテーブル上  板２０を取り外した位置関係で示している。
まず、（イ）のテーブル上板２０には、廻り止めナットを付した締結板２１と彫り込み締結板２２が接着されている。接着剤はクロロブレン系溶剤形接着剤商品名スーパーＧスプレーＺの即乾性（５分で完着）を刷け塗りで使用する。耐熱性８０℃で接着強度は現場用語で、２番からもぎ取れる程度が得られる。【００２０】  （ロ）の昇降基台３０は、基台センターライン３２から左は昇降角柱３１が最小の状態を、右は昇降角柱３１最大伸ばした状態を示した図になっている。
昇降角柱３１は上部に固定した砲金系合金でスチールとの摺動で無脂、無給油で作動可能な台形雌ねじ４１に台形ねじ４０が嵌り、台形ねじ４１の上端に設けられたスラスト軸受４２は、基台３０に一体的に締結されている。
台形ねじ４０は外形２０ｍｍでピッチ４ｍｍの１条ねじである。台形ねじプーリー３５とは１５ｍｍ段に圧入締結されている。【００２１】  スラスト軸受４２は、実際には内径１２ｍｍのラジアル玉軸受けを用いて内輪には台形ねじ４０の上端軸が打ち込まれた圧入構造となっている。【００２２】  図５は本発明テーブル上板２０の〔図４〕Ｂ矢視図であり、２つの用途に設計したケースである。
１つ目のケースは標準型で締結板２１と彫り込み締結板２２で基台３０の中央部にテーブル上板２０が取り付けられる。
プロに好まれる２つ目のケースは、偏り締結板５１と偏り彫り込み締結板５２によって、基台３０に対して偏った位置にテーブル上板２０が取り付く。一人用途に適するので両方の締結板を備えることがある。【００２３】  図６は本発明３×４サイズテーブル上板２０と新聞との比較図である。一般には３×６のサイズが使われるが、特殊として４×８も使うことがある。３×６とは現場ではサブロク板と呼び、縦３フィート、横６フィートで約畳１じょうに相当する。
さて、新聞２ページ８０はＡ０版であるから縦８４１ｍｍ、横１１８９ｍｍで面積は１平方ｍである。図６ではそれが比較されており、テーブル上板２０の高さを９００ｍｍにあげると、大人が立って新聞を読むのに最適とされる。【００２４】  図７は本発明フットスイッチ９０を示している。一般にはモーター箱３３昇降ボタン７０をつけているが、頻繁な昇降をしたい時、或いは手が離せないケースでは、足で昇りスイッチ９１や降りスイッチ９２を操作するのが能率がよい。昇りスイッチ９１と降りスイッチ９２は、目で確認できないので、動かないラバーマット９３の上に設置する。【００２５】  モーター箱３３にあるコンセント７１は、照明用、パソコン用等に必要である。【００２６】  床にうねりがあってテーブル上板２０がガタつく時には、脚台６０設けた水平調整ねじ６１で１０ｍｍ程度まで是正が可能である。【００２７】  以上、実施例では詳述しなかったが、大部分は合板で、それに小木片をねじ締めした上に、従来技術である１ｍｍ厚さのメラミン化粧合板とスプレー接着剤が本発明を安価に可能にした。
【産業上の利用可能性】
【００２８】  本発明は具体的な物の発明であり、用途は、成長激しい幼稚園児の勉強机、介護老人用、お父さんの朝の新聞用、宴会テーブル、図面広げ用、地図広げ用、パソコンテーブル等があり、プロ用としては、書道家用、設計図面台、精密組み立て台、精密加工用、論文編集台等がある。
【符号の説明】
【００２９】１０    木製昇降テーブル
２０    テーブル上板
２１    締結板
２２    彫り込み締結板
３０    基台
３１    昇降角柱
３２    基台センターライン
３３    モーター箱
３４    モータープーリー
３５    台形ねじプーリー
３６    テンショナープーリー
３８    タイミングベルト
３９    彫り込み
４０    台形ねじ
４１    台形雌ねじ
４２    スラスト軸受
４４    基台上箱上面
４５    基台上箱側板
４６    基台底板
４７    基台柱受内板
４８    基台柱受外板
５０    テーブル上板取付穴
５１    偏り締結板
５２    偏り彫り込み締結板
６０    脚台
６１    水平調整ねじ
６２    昇降角柱底木
７０    昇降ボタン
７１    コンセント
７２    電源コード
８０    新聞紙
９０    フットスイッチ
９１    昇りスイッチ
９２    降りスイッチ
９３    ラバーマット
【図１】
2014046183.tif 000003
【図２】
2014046183.tif 000004
【図３】
2014046183.tif 000005
【図４】
2014046183.tif 000006
【図５】
2014046183.tif 000007
【図６】
2014046183.tif 000008
【図７】
2014046183.tif 000009